(57)【要約】【課題】遊技者がリール停止ボタンを操作する際に、新たな遊技の興趣を提供可能にする。【解決手段】複数の停止操作手段で操作可能な複数種類の押し順の中から、押し順決定手段が特定の押し順を決定する抽選確率を、設定手段により複数段階に変更可能に構成する。【選択図】図６（ａ）
2006296842.tif 000002
【特許請求の範囲】
【請求項１】
複数の図柄を変動表示可能な複数の図柄表示手段と、
前記複数の図柄表示手段に各々対応して設けられ、外部からの操作に応じて対応する図柄表示手段の変動表示を停止させる複数の停止操作手段と、
遊技状態に基づいて内部当選役を抽選により決定する内部当選役決定手段と、
前記複数の停止操作手段で操作可能な複数種類の押し順の中から特定の押し順を抽選により決定する押し順決定手段と、
前記複数の停止操作手段が前記特定の押し順に対応する順序で操作された場合に、前記内部当選役に基づいた所定の停止態様で前記複数の図柄表示手段を停止させる停止制御手段と、
前記所定の停止態様に基づいて遊技価値を付与する遊技価値付与手段と、
前記押し順決定手段が前記特定の押し順を決定する抽選確率を複数段階に変更可能な設定手段と、
を有することを特徴とする遊技機。
【請求項２】
前記設定手段は、前記押し順決定手段が前記特定の押し順を決定する抽選確率を２段階に変更可能であることを特徴とする請求項１に記載の遊技機。
【請求項３】
前記特定の押し順を所定確率で報知する報知手段をさらに有したことを特徴とする請求項１又は２に記載の遊技機。
【発明の詳細な説明】
【技術分野】
【０００１】
本発明は、特定の入賞態様が成立するように遊技者の操作により図柄の変動表示を停止可能なパチスロ機やパチンコ機、その他の遊技機に関する。
【背景技術】
【０００２】
従来より、停止ボタンを備えたスロットマシン、いわゆるパチスロ遊技機は、複数種類の図柄を可変表示するための複数のリールと、各リールの回転を一斉に開始させるためのスタートレバーと、各リールの回転を個別に停止させるための複数のリール停止ボタンと、遊技価値としてのメダル等を払出すためのホッパーとを備えている。
【０００３】
即ち、所定数のメダルを投入してスタートレバーを操作すると、複数のリールが一斉に回転を開始し、各リール停止ボタンを操作すると、対応するリールの回転が停止する。そして、全てのリールの回転が停止し、所定の有効ライン上に停止した図柄の組合せが入賞態様を構成すると、入賞態様に応じた所定数のメダルがホッパーから払出される。
【０００４】
このような遊技機においては、特許文献１に記載のように、押し順ナビゲーションと呼ばれる状態に移行してリール停止ボタンの押し順を遊技者に報知して、遊技者が報知どおりにリールの停止操作を行った場合に、所定の入賞態様となるようにリールの停止が制御されているものが存在する。
【０００５】
【特許文献１】特開２００２−２９１９７７号公報
【発明の開示】
【発明が解決しようとする課題】
【０００６】
しかしながら、押し順ナビゲーションにより押し順が報知されたとしても、遊技者は単に報知されたとおりにリール停止ボタンを操作するだけであるため、遊技者に提供できる遊技の興趣に限界があった。
【０００７】
そこで本発明の目的は、遊技者がリール停止ボタンを操作する際に、新たな遊技の興趣を提供可能な遊技機を提供することにある。
【課題を解決するための手段及び効果】
【０００８】
本発明の遊技機は、複数の図柄を変動表示可能な複数の図柄表示手段と、前記複数の図柄表示手段に各々対応して設けられ、外部からの操作に応じて対応する図柄表示手段の変動表示を停止させる複数の停止操作手段と、遊技状態に基づいて内部当選役を抽選により決定する内部当選役決定手段と、前記複数の停止操作手段で操作可能な複数種類の押し順の中から特定の押し順を抽選により決定する押し順決定手段と、前記複数の停止操作手段が前記特定の押し順に対応する順序で操作された場合に、前記内部当選役に基づいた所定の停止態様で前記複数の図柄表示手段を停止させる停止制御手段と、前記所定の停止態様に基づいて遊技価値を付与する遊技価値付与手段と、前記押し順決定手段が前記特定の押し順を決定する抽選確率を複数段階に変更可能な設定手段と、を有することを特徴とする。
【０００９】
上記の構成によれば、押し順決定手段が特定の押し順を決定する抽選確率を設定手段により複数段階に変更可能にすることによって、遊技者にその設定状況を推測させるといった新たな興趣性を提供することができる。例えば、ある設定では、ある特定の押し順が決定される確率が高まるとした場合に、設定手段によるこの設定への変更と同時に、内部抽選による内部当選役の当選の期待値を連係して変更できるようにすれば、遊技者はその遊技機の内部抽選役の抽選内容を推測するといった面白さを享受することが可能となる。
【００１０】
本発明においては、前記設定手段は、前記押し順決定手段が前記特定の押し順を決定する抽選確率を２段階に変更可能であってよい。上記の構成によれば、２段階設定にすることで、遊技者の推測が遊技機の設定状況に一致する確率が上がるため、その設定状況を推測する遊技者の興趣を更に向上させることができる場合がある。加えて、２段階設定にすることで、遊技者が設定を知ろうとする意欲をより高めることができる場合がある。
【００１１】
本発明においては、前記特定の押し順を所定確率で報知する報知手段をさらに有していてよい。上記の構成によれば、報知手段を通じて遊技者が遊技中に特定の押し順を知ることができる場合があり、遊技者はこの特定の押し順を知るために遊技を繰り返して行なうようになるから、遊技者の興趣の向上を図ることができる場合がある。
【発明を実施するための最良の形態】
【００１２】
本発明の実施の形態を図１ないし図２０に基づいて以下に説明する。
【００１３】
本実施の形態にかかる遊技機は、所謂『パチスロ機』であり、複数の図柄の変動表示を停止して表示される図柄に基づいて特定の入賞態様が成立するように、遊技者の操作により変動表示を停止可能に構成されている。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１４】
図１は、遊技機１の外観を示す斜視図である。遊技機１の全体を形成している筐体であるキャビネット２の正面には、略垂直面としてのパネル表示部２ａが形成され、その中央には縦長矩形の表示窓４Ｌ・４Ｃ・４Ｒが設けられている。表示窓４Ｌ・４Ｃ・４Ｒには、入賞ラインとして水平方向にトップライン８ｂ、センターライン８ｃ及びボトムライン８ｄ、斜め方向にクロスダウンライン８ａ及びクロスアップライン８ｅが設けられている。これらの入賞ラインは、後述の１−ＢＥＴボタン１１、２−ＢＥＴボタン１２、最大ＢＥＴボタン１３を操作すること、或いはメダル投入口２２にメダルを投入することにより、それぞれ１本、３本、５本が有効化される。どの入賞ラインが有効化されたかは、後で説明するＢＥＴランプ９ａ・９ｂ・９ｃの点灯で表示される。
【００１５】
ここで、入賞ライン８ａ〜８ｅは、役の入賞の成否に関わる。具体的には、所定の役（例えば、後述の『上チリの小役』）に対応する一の図柄（例えば、後述の「上チリ（図柄９７）」）が何れかの有効化された入賞ラインに対応する所定の位置（例えば、後述のＢＥＴ数が「３」であれば左の表示窓４Ｌ内の位置）に停止表示されること、又は所定の役に対応する図柄組み合わせを構成する図柄が何れかの有効化された入賞ラインに対応する所定の位置に並んで停止表示されることにより、所定の役の入賞が成立することとなる。
【００１６】
キャビネット２の内部には、３個のリール３Ｌ・３Ｃ・３Ｒが回転自在に横一列に設けられている。各リール３Ｌ・３Ｃ・３Ｒの外周面には、複数の図柄からなる図柄列が記されている。
【００１７】
図柄列は、図２に示すように、「００」〜「２０」のコードナンバーが付された複数種類の図柄からなっている。具体的には、「赤７（図柄９１）」、「青７（図柄９２）」、「下チリ（図柄９３）」、「ベル（図柄９４）」、「スイカ（図柄９５）」、「Ｒｅｐｌａｙ（図柄９６）」、および「上チリ（図柄９７）」の図柄からなっている。各リールの図柄は、表示窓４Ｌ・４Ｃ・４Ｒを通して観察可能にされている。各リールは、定速回転（例えば８０回転／分）で回転する。
【００１８】
上記の図柄列中における「赤７（図柄９１）」、「青７（図柄９２）」は、特定の入賞態様を構成するものとして設定されている。ここで、特定の入賞態様とは、後述のＢＢやＲＢのボーナスが成立する入賞態様を意味する。尚、特定の入賞態様は、ＳＴ等のボーナス以外の有利な遊技状態を開始させる入賞態様を含む。ここで、ＳＴとは、スーパータイムの略称である。
【００１９】
図１に示すように、表示窓４Ｌ・４Ｃ・４Ｒの左側には、１−ＢＥＴランプ９ａ、２−ＢＥＴランプ９ｂ、最大ＢＥＴランプ９ｃ、クレジット表示部１９が設けられている。１−ＢＥＴランプ９ａ、２−ＢＥＴランプ９ｂ及び最大ＢＥＴランプ９ｃは、一のゲーム（単位遊技）を行うために賭けられたメダルの数（以下『ＢＥＴ数』という）に応じて点灯する。ここで、本実施の形態では、一のゲームは、全てのリールが停止したときに終了する。１−ＢＥＴランプ９ａは、ＢＥＴ数が「１」で１本の入賞ラインが有効化されたときに点灯する。２−ＢＥＴランプ９ｂは、ＢＥＴ数が「２」で３本の入賞ラインが有効化されたときに点灯する。最大ＢＥＴランプ９ｃは、ＢＥＴ数が「３」で全て（５本）の入賞ラインが有効化されたときに点灯する。クレジット表示部１９は、７セグメントＬＥＤから成り、貯留されているメダルの枚数を表示する。
【００２０】
表示窓４Ｌ・４Ｃ・４Ｒの右側には、当り表示ランプ（所謂ＷＩＮランプ）１７及び払出表示部１８が設けられている。当り表示ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下『ボーナス』という。払出表示部１８は、７セグメントＬＥＤから成り、入賞成立時のメダルの払出枚数を表示する。
【００２１】
パネル表示部２ａの右側上部には、ボーナス遊技情報表示部２０が設けられる。ボーナス遊技情報表示部２０は、７セグメントＬＥＤを備えており、後で説明するＢＢ一般遊技状態におけるゲームの回数等を表示する。表示窓４Ｌ・４Ｃ・４Ｒの下方には、水平面の台座部１０が配置されている。台座部１０と表示窓４Ｌ・４Ｃ・４Ｒとの間には、液晶表示装置５が設けられている。液晶表示装置５は、遊技に関連する情報、例えばＳＴ時における内部当選役の入賞に関する情報や、後述する３個の停止ボタン７Ｌ・７Ｃ・７Ｒの押し順、遊技上の演出等を表示画面５ａに表示する。
【００２２】
液晶表示装置５の右側には、メダル投入口２２が設けられている。液晶表示装置５の左側には、１−ＢＥＴボタン１１、２−ＢＥＴボタン１２、及び最大ＢＥＴボタン１３が設けられている。１−ＢＥＴボタン１１は、１回の押し操作により、クレジットされているメダルのうちの１枚をゲームへの賭け枚数とする。２−ＢＥＴボタン１２は、１回の押し操作により、クレジットされているメダルのうちの２枚をゲームへの賭け枚数とする。最大ＢＥＴボタン１３は、１回のゲームに賭けることが可能な最大枚数をゲームへの賭け枚数とする。これらのＢＥＴボタン１１・１２・１３を操作することで、前述のとおり、所定の入賞ラインが有効化される。
【００２３】
台座部１０の前面部の左寄りには、遊技者がゲームで獲得したメダルのクレジット／払出しを押しボタン操作で切替えるＣ／Ｐボタン１４が設けられている。このＣ／Ｐボタン１４の切り替えにより、正面下部のメダル払出ロ１５からメダル１１５が払出され、払出されたメダル１１５はメダル受け部１６に溜められる。
【００２４】
Ｃ／Ｐボタン１４の右側には、スタートレバー６が配置されている。スタートレバー６は、所定の角度範囲で回動自在に取り付けられており、遊技者の操作により遊技開始指令信号を出力することによって、リール３Ｌ・３Ｃ・３Ｒを回転させ、表示窓４Ｌ・４Ｃ・４Ｒ内での図柄の変動表示を開始させる。
【００２５】
キャビネット２の上方の左右には、スピーカ２１Ｌ・２１Ｒが設けられ、その２台のスピーカ２１Ｌ・２１Ｒの間には、入賞図柄の組み合わせ及びメダルの配当枚数等を表示する配当表パネル２３が設けられている。台座部１０の前面部中央で、液晶表示装置５の下方位置には、３個のリール３Ｌ・３Ｃ・３Ｒの回転をそれぞれ停止させるための３個の停止ボタン７Ｌ・７Ｃ・７Ｒが設けられている。
【００２６】
また、スピーカ２１Ｌ・２１Ｒや配当表パネル２３の上方にはＬＥＤランプ２９が設けられており、後述の遊技状態に応じた演出等に伴い、点滅等するようになっている。
【００２７】
（遊技機１の電気的構成：主制御回路７１）
上記のように構成された遊技機１は、図３、図４に示すように、主基板に設けられた主制御回路７１と、副基板に設けられた副制御回路７２とで動作が制御されている。図３に示す主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００２８】
ＣＰＵ３１には、基準クロックパルスを発生するクロックパルス発生回路３４及び分周器３５と、サンプリングされる乱数を発生する乱数発生器３６及びサンプリング回路３７とが接続されている。
【００２９】
尚、乱数サンプリングのための手段として、マイクロコンピュータ３０内で、即ち、ＣＰＵ３１の動作プログラム上で乱数サンプリングを実行するように構成しても良い。その場合、乱数発生器３６及びサンプリング回路３７は省略可能であり、或いは、乱数サンプリング動作のバックアップ用として残しておくことも可能である。
【００３０】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、当り表示ランプ１７）と、各種表示部（払出表示部１８、クレジット表示部１９、ボーナス遊技情報表示部２０）と、メダルを収納し、ホッパー駆動回路４１の命令により所定枚数のメダルを払出す遊技価値付与手段としてのホッパー（払出しのための駆動部を含む）４０と、リール３Ｌ・３Ｃ・３Ｒを回転駆動するステッピングモータ４９Ｌ・４９Ｃ・４９Ｒとがある。
【００３１】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００３２】
また、主制御回路７１は、制御指令を発生するために必要な入力信号を発生する入力信号発生手段に接続されている。主な入力信号発生手段としては、設定用鍵型スイッチ５３Ｓ、設定ボタン５２、スタートスイッチ６Ｓ、１−ＢＥＴスイッチ１１Ｓ、２−ＢＥＴスイッチ１２Ｓ、最大ＢＥＴスイッチ１３Ｓ、Ｃ／Ｐスイッチ１４Ｓ、投入メダルセンサ２２Ｓ、リール停止信号回路４６、リール位置検出回路５０、払出完了信号回路５１がある。これらもＩ／Ｏポート３８を介してＣＰＵ３１に接続されている。
【００３３】
設定ボタン５２は、ＣＰＵ３１において３個の停止ボタン７Ｌ・７Ｃ・７Ｒの押し順と内部当選役との組合せが決定される確率を変更するための設定手段である。本実施の形態においては、設定１、設定２の２種類の設定に対応付けられた一般遊技状態用確率抽選テーブルと、設定１、設定２に共通のＢＢ一般遊技状態用確率抽選テーブル及びＲＢ遊技状態用確率抽選テーブルとがＲＯＭ３２に格納されており、設定１の一般遊技状態用確率抽選テーブルと設定２の一般遊技状態用確率抽選テーブルとでは、内部当選役としての『ベルの小役』と押し順としての『順押し』との組合せが決定される確率と、内部当選役としての『ベルの小役』と押し順としての『逆押し』との組合せが決定される確率とが異なる。
【００３４】
ここで、『順押し』とは、３個の停止ボタン７Ｌ・７Ｃ・７Ｒを、左の停止ボタン７Ｌ（以下、左という）→中央の停止ボタン７Ｃ（以下、中という）→右の停止ボタン７Ｒ（以下、右という）の順番で停止させることをいう。一方、『逆押し』とは、３個の停止ボタン７Ｌ・７Ｃ・７Ｒを右→中→左の順番で停止させることをいう。また、３個の停止ボタン７Ｌ・７Ｃ・７Ｒを中→左→右の順番で停止させることを『第１中押し』といい、中→右→左の順番で停止させることを『第２中押し』といい、左→右→中の順番で停止させることを『はさみ押し』といい、右→左→中の順番で停止させることを『逆はさみ押し』という。
【００３５】
２種類の設定値の設定方法としては、例えば、従業員が電源スイッチを一旦オフにした後、設定用鍵型スイッチ５３Ｓをオンにした状態で電源スイッチをオンにする。これにより、設定ボタン５２の外部からの操作が可能になる。そして、従業員が設定ボタン５２を操作することにより、２つの設定値のうちいずれかの設定値に設定することができる。設定された設定値の情報は、ＣＰＵ３１に送られ、ＲＡＭ３３において保持される。
【００３６】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じて停止指令信号を発生する。リール位置検出回路５０は、リール回転センサからのパルス信号を受けて各リール３Ｌ・３Ｃ・３Ｒの位置を検出するための信号をＣＰＵ３１へ供給する。払出完了信号回路５１は、メダル検出部４０ｓの計数値（ホッパー４０から払出されたメダルの枚数）が指定された枚数データに達した時、メダル払出完了を検知するための信号を発生する。
【００３７】
乱数発生器３６は、０から１６３８３の範囲に属する乱数を発生させる。サンプリング回路３７は、スタートレバー６が操作された後の適宜のタイミングでこの乱数範囲の中から１個の乱数をサンプリングする。そして、ＣＰＵ３１は、これらの乱数発生器３６及びサンプリング回路３７でサンプリングされた乱数及びＲＯＭ３２内に格納されている確率抽選テーブルに基づいて、内部当選役と３個の停止ボタン７Ｌ・７Ｃ・７Ｒの押し順との組合せを決定するようになっている。
【００３８】
また、主制御回路７１のＲＡＭ３３には、種々の情報が一時的に格納される。例えば、ヒットリクエストフラグの情報や設定値の情報等が格納される。一方、主制御回路７１のＲＯＭ３２には、スタートレバー６を操作（スタート操作）する毎に行われる乱数サンプリングの判定に用いられる確率抽選テーブル、リール３Ｌ・３Ｃ・３Ｒの停止制御の際に選択される停止テーブル群等の各種のデータテーブルや、ＣＰＵ３１で実行するメインルーチン等の制御プログラム、副制御回路７２へ送信するための各種制御指令（コマンド）等が格納されている。ＲＯＭ３２に格納された各種のデータテーブルの詳細については後述する。
【００３９】
（遊技機１の電気的構成：副制御回路７２）
上記の主制御回路７１は、副制御回路７２にコマンドや情報等を一方向に出力可能に接続されている。副制御回路７２は、図４に示すように、主制御回路７１からの制御指令（コマンド）に基づいて液晶表示装置５の表示制御及びスピーカ２１Ｌ・２１Ｒからの音の出力制御を行う。また、副制御回路７２は、所定確率で、報知手段を用いて３個の停止ボタン７Ｌ・７Ｃ・７Ｒの押し順の報知を行う。報知手段としては、液晶表示装置５、スピーカ２１Ｌ・２１Ｒ、後述のＬＥＤランプ２９のいずれか或いはこれらの組合せを用いるなど、任意に構成することができる。
【００４０】
この副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１、スピーカ２１Ｌ・２１Ｒにより出音される音を制御する音源ＩＣ７８、及び増幅器としてのパワーアンプ７９、ＬＥＤランプ２９を駆動するＬＥＤ駆動回路７７を備えている。
【００４１】
サブマイクロコンピュータ７３は、主制御回路７１から送信された制御指令に従って制御動作を行うサブＣＰＵ７４と、副基板側記憶手段としてのプログラムＲＯＭ７５と、ワークＲＡＭ７６とを含む。プログラムＲＯＭ７５は、サブＣＰＵ７４で実行するコマンド処理ルーチン等の制御プログラムを格納している。また、ワークＲＡＭ７６は、上記制御プログラムをサブＣＰＵ７４で実行するときの一時記憶手段として構成される。
【００４２】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、画像を形成するためのドットデータを格納する。ビデオＲＡＭ８７は、画像制御ＩＣ８２で画像を形成するときの一時記憶手段として構成される。
【００４３】
（遊技状態）
以上のように構成された遊技機１は、『一般遊技状態』、『ＢＢ一般遊技状態』および『ＲＢ遊技状態』からなる３種類の遊技状態を出現させる。これら「３種類」の各遊技状態は、基本的に、内部当選する可能性のある役の種類、再遊技に内部当選する確率及び入賞成立を実現することが可能なボーナスの種別、内部当選と入賞成立との関係により区別される。
【００４４】
各遊技状態の特徴、即ち、各遊技状態において内部当選する役の種類、その確率及び各遊技状態におけるリール３Ｌ・３Ｃ・３Ｒの停止制御（入賞する可能性のある役の種類等）については後述する。また、各遊技状態間の移行は、ボーナス図柄の組み合わせが入賞ライン上に表示されたとき等により移行する。
【００４５】
ここで、ＢＢの入賞成立を契機として発生し、『ＢＢ一般遊技状態』及び『ＲＢ遊技状態』により構成される遊技状態を総称して、以下『ＢＢ遊技状態』という。ＢＢの入賞は、一般遊技状態において「青７−青７−青７」又は「赤７−赤７−赤７」が有効ラインに沿って並ぶことにより成立する。ＢＢの入賞が成立した後、遊技状態がＢＢ一般遊技状態となる。ＲＢの入賞は、一般遊技状態又はＢＢ一般遊技状態において「赤７−赤７−青７」が有効ラインに沿って並ぶことにより成立する。ＢＢ一般遊技状態においてＲＢの入賞が成立することを、一般に『ＪＡＣＩＮ』と称する。ＲＢの入賞が成立した後、遊技状態がＲＢ遊技状態となる。
【００４６】
再遊技（リプレイ）の入賞は、一般遊技状態において「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行うことができる。
【００４７】
また、一般遊技状態及びＢＢ一般遊技状態では、『上チリの小役』、『下チリの小役』、『スイカの小役』、及び『ベルの小役』の入賞成立を実現することが可能である。役物の入賞は、ＲＢ遊技状態において「Ｒｅｐｌａｙ−Ｒｅｐｌａｙ−Ｒｅｐｌａｙ」、「赤７−Ｒｅｐｌａｙ−Ｒｅｐｌａｙ」又は「青７−Ｒｅｐｌａｙ−Ｒｅｐｌａｙ」が並ぶことにより成立する。役物の入賞成立回数が「８回」となったとき、又は、１２回の遊技が終了したとき、遊技状態が移行する。ここで、役物の入賞が成立する可能性のあるＲＢ遊技状態のゲームは、一般に『ＪＡＣゲーム』と称される。
【００４８】
次に、入賞成立を示す図柄組み合わせとメダルの払い出し枚数との関係を図５を用いて説明する。図５に示すように、一般遊技状態においては、ＢＢとＲＢと再遊技とベルの小役とスイカの小役と上チリの小役と下チリの小役とに入賞する可能性がある。そして、入賞成立がＢＢやＲＢの場合、１５枚のメダルが払い出され、再遊技の場合、メダルの払い出しはない。また、ベル、スイカ、上チリ、下チリの小役の場合、それぞれ１０枚、３枚、１枚、７枚のメダルが払い出される。
【００４９】
また、ＢＢ一般遊技状態においては、ＲＢとベルの小役とスイカの小役と上チリの小役と下チリの小役とに入賞する可能性がある。そして、入賞成立がＲＢの場合、１５枚のメダルが払い出される。また、ベル、スイカ、上チリ、下チリの小役の場合、それぞれ１０枚、３枚、１枚、７枚のメダルが払い出される。またＲＢ遊技状態において、役物の入賞が成立した場合には、１５枚のメダルが払い出される。
【００５０】
（主制御回路７１のデータテーブル：確率抽選テーブル）
次に、図６乃至図８を参照して、各遊技状態において内部当選役を決定する際に使用する確率抽選テーブルを説明する。
【００５１】
確率抽選テーブルは設定毎、遊技状態毎に設けられている。この確率抽選テーブルでは、内部当選役と、３個の停止ボタン７Ｌ・７Ｃ・７Ｒの押し順と、内部当選役と押し順との組合せが決定される抽選確率とが関連付けられている。なお、確率抽選テーブルにおいて用いられる乱数範囲は「０〜１６３６３」である。
【００５２】
図６（ａ）、（ｂ）に示す一般遊技状態用確率抽選テーブルでは、『上チリ』と『下チリ』と『スイカ』と『ベル』と『リプレイ（再遊技）』と『ＢＢ』と『ＲＢ』と『ハズレ』とが内部当選可能な役として存在し、抽選確率は図示のとおりである。
【００５３】
具体的には、図６（ａ）に示す設定１の確率抽選テーブルでは、例えば『上チリ』と『順押し』との組合せは、ＢＥＴ数が“３”であれば、「０」〜「５」の乱数範囲が抽出されたときに、６／１６３８４の確率で内部当選する。また、例えば『スイカ』と『逆押し』との組合せは、ＢＥＴ数が“３”であれば、「５４」〜「６０」の乱数範囲が抽出されたときに、７／１６３８４の確率で内部当選する。なお、『ハズレ』は押し順に関係なく「２９４９」〜「１６３８３」の乱数範囲が抽出されたときに、１３４３５／１６３８４の確率で内部当選する。
【００５４】
この確率抽選テーブルにおいて、設定１と設定２とでは、『ベル』と『順押し』との組合せが内部当選する抽選確率と、『ベル』と『逆押し』との組合せが内部当選する抽選確率とが異なる。具体的には、設定１（図６（ａ）参照）において、「６８」〜「１６７」の乱数範囲が抽出されたときに、１００／１６３８４の確率で『ベル』と『順押し』との組合せに内部当選し、「２３５」〜「３１７」の乱数範囲が抽出されたときに、８３／１６３８４の確率で『ベル』と『逆押し』との組合せに内部当選する。
【００５５】
一方、設定２（図６（ｂ）参照）において、「６８」〜「１６３」の乱数範囲が抽出されたときに、９６／１６３８４の確率で『ベル』と『順押し』との組合せに内部当選し、「２３１」〜「３１７」の乱数範囲が抽出されたときに、８７／１６３８４の確率で『ベル』と『逆押し』との組合せに内部当選する。
【００５６】
このように、『ベル』と『順押し』との組合せに内部当選する確率と、『ベル』と『逆押し』との組合せに内部当選する確率とを設定により異ならせることで、遊技者にこの設定状況を推測させるという新たな興趣を提供している。なお、遊技者の設定の推測を難しくする観点から、設定間での確率の差を５％以下に設定することが好ましい。これにより、設定が少なくとも遊技者に容易に判断されない遊技機を提供でき、遊技者に遊技への興趣を損なわせないようにすることができる。
【００５７】
図７に示すＢＢ一般遊技状態用確率抽選テーブルでは、『上チリ』と『下チリ』と『スイカ』と『ベル』と『ＲＢ』と『ハズレ』とが内部当選可能な役として存在し、抽選確率は図示のとおりである。
【００５８】
具体的には、例えば『上チリ』と『順押し』との組合せは、ＢＥＴ数が“３”であれば、「０」〜「５」の乱数範囲が抽出されたときに、６／１６３８４の確率で内部当選する。また、例えば『スイカ』と『逆押し』の組合せは、ＢＥＴ数が“３”であれば、「６６」〜「７３」の乱数範囲が抽出されたときに、８／１６３８４の確率で内部当選する。なお、『ハズレ』は押し順に関係なく「１４０９８」〜「１６３８３」の乱数範囲が抽出されたときに、２２８６／１６３８４の確率で内部当選する。
【００５９】
図８に示すＲＢ遊技状態用確率抽選テーブルでは、『ハズレ』と『役物』とが内部当選可能な役として存在し、抽選確率は図示のとおりである。
【００６０】
具体的には、『ハズレ』は、押し順に関係なく、ＢＥＴ数が“３”であれば、「０」〜「２」の乱数範囲が抽出されたときに、３／１６３８４の確率で内部当選する。また、例えば『役物』と『順押し』の組合せは、ＢＥＴ数が“３”であれば、「３」〜「４９１６」の乱数範囲が抽出されたときに、４９１４／１６３８４の確率で内部当選する。また、例えば『役物』と『逆押し』の組合せは、ＢＥＴ数が“３”であれば、「８１９４」〜「１２２８８」の乱数範囲が抽出されたときに、４０９５／１６３８４の確率で内部当選する。また、ＲＢ遊技状態は、既にＲＢが内部成立している状態であるから、ＲＢが改めて決定される可能性はない。
【００６１】
図６〜図８のような各テーブルは、図３の主制御回路７１におけるＲＯＭ３２に格納されている。
【００６２】
（遊技状態と、内部当選役と、選択される停止テーブル群との関係）
次に、図９、図１０を参照して、遊技状態と、内部当選役と、選択される停止テ−ブル群との関係について説明する。停止テーブル群とは、リール３Ｌ・３Ｃ・３Ｒの停止制御の際に選択されるものである。
【００６３】
ここで、選択される停止テーブル群の内容は、基本的に、遊技状態、内部当選役等に応じて変化し得るものであるが、本実施の形態では、停止テーブル群の欄に示すテーブル群の名称を、基本的に入賞の可能性の有無及びその可能性がある役の種類に基づいて定めている。このため、本実施の形態では、同一の名称の停止テーブル群が選択されたとしても、常にリール３Ｌ・３Ｃ・３Ｒの停止態様までもが一致するわけではない。
【００６４】
入賞不成立停止テーブル群が選択された場合には、内部当選役、遊技状態に拘らず、何れの役の入賞も成立することはない。入賞成立可能停止テーブル群が選択された場合には、対応する役の入賞成立は可能であるが、その他の役の入賞成立を実現することは基本的にできない。例えば、『スイカ入賞成立可能停止テーブル群』が選択された場合には、『スイカの小役』の入賞成立を実現しうるが、ＢＢ等の他の役の入賞成立を実現することはできない。また、『再遊技入賞成立可能停止テーブル群』が選択された場合には、『再遊技』の入賞成立を実現しうるが、他の役の入賞成立を実現することはできない。
【００６５】
図９に示すように、一般遊技状態においてボーナス（ＲＢ，ＢＢ）に内部当選した場合には、入賞成立可能停止テーブル群が選択される。このため、ボーナスの入賞成立を実現することが可能である。
【００６６】
図１０に示すように、ＢＢ一般遊技状態及びＲＢ遊技状態では、図示の停止テーブル群が選択され、リール３Ｌ・３Ｃ・３Ｒの停止制御が行われる。具体的には、ＲＢや役物が内部当選すれば（ＲＢの場合、ＪＡＣＩＮ）、それぞれに対応した入賞成立可能停止テーブル群が選択される。
【００６７】
（停止テーブル群）
次に、図１１ないし図１７を参照して、ベル入賞成立可能停止テーブル群について説明する。
【００６８】
尚、停止テーブルは、後述の滑りコマ数決定処理で使用される。停止テーブルを用いたリールの停止制御は、一般に『テーブル制御』と称される。『停止テーブル』には、各リール３Ｌ・３Ｃ・３Ｒの『停止操作位置』、及び『停止制御位置』が示されている。『停止操作位置』は、各リール３Ｌ・３Ｃ・３Ｒに対応して設けられた停止ボタン７Ｌ・７Ｃ・７Ｒが操作されたとき、センターライン８ｃに位置していた図柄（具体的には、図柄の中心がセンターライン８ｃの上方に位置し、その中心がセンターライン８ｃの位置に最も近い図柄）のコードナンバーを表わす。『停止制御位置』とは、停止操作が行われたリールが停止したとき、センターライン８ｃの位置に停止表示される図柄のコードナンバーを表わす。
【００６９】
ここで、本実施の形態では、所謂『滑りコマ数』を最大「４コマ」としている。例えば、左のリール３Ｌの回転中において、コードナンバー「０６」の「上チリ（図２の図柄９７）」がセンターライン８ｃの位置に到達したとき、停止ボタン７Ｌが操作された場合、コードナンバー「０７」の「青７（図柄９２）」をセンターライン８ｃの位置に停止表示するように左のリール３Ｌを停止制御することができる。『滑りコマ数』は、停止ボタンが操作された後、リールが停止するまでの間に表示窓内を移動した図柄の数を示す（リールが停止するまでの間における図柄の移動量（移動距離）を示す）。また、『滑りコマ数』は、停止ボタンが操作されたとき、所定の入賞ラインに位置していた図柄のコードナンバーと、実際にリールが停止したときに、その入賞ラインに停止した図柄のコードナンバーとの差の絶対値により表わされる。この『滑りコマ数』は、『引き込み数』と称されることもある。
【００７０】
ベル入賞成立可能停止テーブル群には、図１１〜図１６に示すように、順押し、第１中押し、第２中押し、逆押し、はさみ押し、逆はさみ押しの６種類のテーブルが存在する。図１１のテーブルは、図６において『ベル』と『順押し』との組合せが内部当選した場合に使用され、ベルの小役の入賞のみを成立させる停止テーブルである。
【００７１】
即ち、順押しの場合における左のリール３Ｌの『停止制御位置』は、コードナンバー「０１」・「０３」・「０８」・「１０」・「１３」又は「１８」の何れかである。図２に示す図柄列において、これらのコードナンバーに対応する図柄の１つ上の図柄は、「ベル（図柄９４）」である。一方、第１中押し、第２中押し、逆押し、はさみ押し及び逆はさみ押しの場合における左のリール３Ｌの『停止制御位置』は、コードナンバー「０２」・「０４」・「０９」・「１１」・「１４」又は「１９」の何れかである。図２に示す図柄列において、これらのコードナンバーに対応する図柄は、「ベル（図柄９４）」である。
【００７２】
また、中央のリール３Ｃの『停止制御位置』は、コードナンバー「０１」・「０６」・「１０」・「１４」又は「１８」の何れかである。図２に示す図柄列において、これらのコードナンバーに対応する図柄は、「ベル（図柄９４）」である。また、右のリール３Ｒの『停止制御位置』は、コードナンバー「０４」・「０９」・「１３」・「１７」又は「２０」の何れかである。図２に示す図柄列において、これらのコードナンバーに対応する図柄の１つ下の図柄は、「ベル（図柄９４）」である。
【００７３】
これにより、図１１に示したテーブルが各リール３Ｌ・３Ｃ・３Ｒの停止制御に使用された場合であって順押しが行われた場合には、例え遊技者が「ベル（図柄９４）」と異なる図柄を揃えようとしていたとしても、図１および図１７（ａ）に示すように、クロスダウンライン８ａの位置、即ち、左の表示窓４Ｌの上段・中央の表示窓４Ｃの中段・右の表示窓４Ｒ内の下段の位置に「ベル（図柄９４）」が停止表示された形態でベル（図柄９４）の小役の入賞が成立することになる。一方、第１中押し、第２中押し、逆押し、はさみ押し、逆はさみ押しのいずれかが行われた場合には、例え遊技者が「ベル（図柄９４）」を揃えようとしていたとしても、図１および図１７（ｂ）に示すように、左の表示窓４Ｌの中段・中央の表示窓４Ｃの中段・右の表示窓４Ｒ内の下段の位置に「ベル（図柄９４）」が停止表示されることによって、ベル（図柄９４）の小役の入賞が不成立となる。この場合、他の小役やリプレイ役、ボーナス役に入賞することもない。
【００７４】
また、図１２のテーブルは、図６において『ベル』と『第１中押し』との組合せが内部当選した場合に使用され、ベルの小役の入賞のみを成立させる停止テーブルである。
【００７５】
即ち、第１中押しの場合における左のリール３Ｌの『停止制御位置』は、コードナンバー「０１」・「０３」・「０８」・「１０」・「１３」又は「１８」の何れかである。図２に示す図柄列において、これらのコードナンバーに対応する図柄の１つ上の図柄は、「ベル（図柄９４）」である。一方、順押し、第２中押し、逆押し、はさみ押し及び逆はさみ押しの場合における左のリール３Ｌの『停止制御位置』は、コードナンバー「０２」・「０４」・「０９」・「１１」・「１４」又は「１９」の何れかである。図２に示す図柄列において、これらのコードナンバーに対応する図柄は、「ベル（図柄９４）」である。
【００７６】
また、中央のリール３Ｃの『停止制御位置』は、コードナンバー「０１」・「０６」・「１０」・「１４」又は「１８」の何れかである。図２に示す図柄列において、これらのコードナンバーに対応する図柄は、「ベル（図柄９４）」である。また、右のリール３Ｒの『停止制御位置』は、コードナンバー「０４」・「０９」・「１３」・「１７」又は「２０」の何れかである。図２に示す図柄列において、これらのコードナンバーに対応する図柄の１つ下の図柄は、「ベル（図柄９４）」である。
【００７７】
これにより、図１２に示したテーブルが各リール３Ｌ・３Ｃ・３Ｒの停止制御に使用された場合であって第１中押しが行われた場合には、例え遊技者が「ベル（図柄９４）」と異なる図柄を揃えようとしていたとしても、上述の図１１のテーブルにおける順押しの場合と同様に、クロスダウンライン８ａの位置に「ベル（図柄９４）」が停止表示された形態でベル（図柄９４）の小役の入賞が成立することになる。一方、順押し、第２中押し、逆押し、はさみ押し、逆はさみ押しが行われた場合には、例え遊技者が「ベル（図柄９４）」を揃えようとしていたとしても、上述の図１１のテーブルにおける第１中押し、第２中押し、逆押し、はさみ押し、逆はさみ押しの場合と同様に、左の表示窓４Ｌの中段・中央の表示窓４Ｃの中段・右の表示窓４Ｒ内の下段の位置に「ベル（図柄９４）」が停止表示されることによって、ベル（図柄９４）の小役の入賞が不成立となる。この場合、他の小役やリプレイ役、ボーナス役に入賞することもない。
【００７８】
また、図１３のテーブルは、図６において『ベル』と『第２中押し』との組合せが内部当選した場合に使用され、ベルの小役の入賞のみを成立させる停止テーブルである。
【００７９】
即ち、第２中押しの場合における左のリール３Ｌの『停止制御位置』は、コードナンバー「０１」・「０３」・「０８」・「１０」・「１３」又は「１８」の何れかである。図２に示す図柄列において、これらのコードナンバーに対応する図柄の１つ上の図柄は、「ベル（図柄９４）」である。一方、順押し、第１中押し、逆押し、はさみ押し及び逆はさみ押しの場合における左のリール３Ｌの『停止制御位置』は、コードナンバー「０２」・「０４」・「０９」・「１１」・「１４」又は「１９」の何れかである。図２に示す図柄列において、これらのコードナンバーに対応する図柄は、「ベル（図柄９４）」である。
【００８０】
また、中央のリール３Ｃの『停止制御位置』は、コードナンバー「０１」・「０６」・「１０」・「１４」又は「１８」の何れかである。図２に示す図柄列において、これらのコードナンバーに対応する図柄は、「ベル（図柄９４）」である。また、右のリール３Ｒの『停止制御位置』は、コードナンバー「０４」・「０９」・「１３」・「１７」又は「２０」の何れかである。図２に示す図柄列において、これらのコードナンバーに対応する図柄の１つ下の図柄は、「ベル（図柄９４）」である。
【００８１】
これにより、図１３に示したテーブルが各リール３Ｌ・３Ｃ・３Ｒの停止制御に使用された場合であって第２中押しが行われた場合には、例え遊技者が「ベル（図柄９４）」と異なる図柄を揃えようとしていたとしても、上述の図１１のテーブルにおける順押しの場合と同様に、クロスダウンライン８ａの位置に「ベル（図柄９４）」が停止表示された形態でベル（図柄９４）の小役の入賞が成立することになる。一方、順押し、第１中押し、逆押し、はさみ押し、逆はさみ押しが行われた場合には、例え遊技者が「ベル（図柄９４）」を揃えようとしていたとしても、上述の図１１のテーブルにおける第１中押し、第２中押し、逆押し、はさみ押し、逆はさみ押しの場合と同様に、左の表示窓４Ｌの中段・中央の表示窓４Ｃの中段・右の表示窓４Ｒ内の下段の位置に「ベル（図柄９４）」が停止表示されることによって、ベル（図柄９４）の小役の入賞が不成立となる。この場合、他の小役やリプレイ役、ボーナス役に入賞することもない。
【００８２】
また、図１４のテーブルは、図６において『ベル』と『逆押し』との組合せが内部当選した場合に使用され、ベルの小役の入賞のみを成立させる停止テーブルである。
【００８３】
即ち、逆押しの場合における左のリール３Ｌの『停止制御位置』は、コードナンバー「０１」・「０３」・「０８」・「１０」・「１３」又は「１８」の何れかである。図２に示す図柄列において、これらのコードナンバーに対応する図柄の１つ上の図柄は、「ベル（図柄９４）」である。一方、順押し、第１中押し、第２中押し、はさみ押し及び逆はさみ押しの場合における左のリール３Ｌの『停止制御位置』は、コードナンバー「０２」・「０４」・「０９」・「１１」・「１４」又は「１９」の何れかである。図２に示す図柄列において、これらのコードナンバーに対応する図柄は、「ベル（図柄９４）」である。
【００８４】
また、中央のリール３Ｃの『停止制御位置』は、コードナンバー「０１」・「０６」・「１０」・「１４」又は「１８」の何れかである。図２に示す図柄列において、これらのコードナンバーに対応する図柄は、「ベル（図柄９４）」である。また、右のリール３Ｒの『停止制御位置』は、コードナンバー「０４」・「０９」・「１３」・「１７」又は「２０」の何れかである。図２に示す図柄列において、これらのコードナンバーに対応する図柄の１つ下の図柄は、「ベル（図柄９４）」である。
【００８５】
これにより、図１４に示したテーブルが各リール３Ｌ・３Ｃ・３Ｒの停止制御に使用された場合であって逆押しが行われた場合には、例え遊技者が「ベル（図柄９４）」と異なる図柄を揃えようとしていたとしても、上述の図１１のテーブルにおける順押しの場合と同様に、クロスダウンライン８ａの位置に「ベル（図柄９４）」が停止表示された形態でベル（図柄９４）の小役の入賞が成立することになる。一方、順押しや第１中押し、第２中押し、はさみ押し、逆はさみ押しが行われた場合には、例え遊技者が「ベル（図柄９４）」を揃えようとしていたとしても、上述の図１１のテーブルにおける第１中押し、第２中押し、逆押し、はさみ押し、逆はさみ押しの場合と同様に、左の表示窓４Ｌの中段・中央の表示窓４Ｃの中段・右の表示窓４Ｒ内の下段の位置に「ベル（図柄９４）」が停止表示されることによって、ベル（図柄９４）の小役の入賞が不成立となる。この場合、他の小役やリプレイ役、ボーナス役に入賞することもない。
【００８６】
また、図１５のテーブルは、図６において『ベル』と『はさみ押し』との組合せが内部当選した場合に使用され、ベルの小役の入賞のみを成立させる停止テーブルである。
【００８７】
即ち、はさみ押しの場合における左のリール３Ｌの『停止制御位置』は、コードナンバー「０１」・「０３」・「０８」・「１０」・「１３」又は「１８」の何れかである。図２に示す図柄列において、これらのコードナンバーに対応する図柄の１つ上の図柄は、「ベル（図柄９４）」である。一方、順押し、第１中押し、第２中押し、逆押し及び逆はさみ押しの場合における左のリール３Ｌの『停止制御位置』は、コードナンバー「０２」・「０４」・「０９」・「１１」・「１４」又は「１９」の何れかである。図２に示す図柄列において、これらのコードナンバーに対応する図柄は、「ベル（図柄９４）」である。
【００８８】
また、中央のリール３Ｃの『停止制御位置』は、コードナンバー「０１」・「０６」・「１０」・「１４」又は「１８」の何れかである。図２に示す図柄列において、これらのコードナンバーに対応する図柄は、「ベル（図柄９４）」である。また、右のリール３Ｒの『停止制御位置』は、コードナンバー「０４」・「０９」・「１３」・「１７」又は「２０」の何れかである。図２に示す図柄列において、これらのコードナンバーに対応する図柄の１つ下の図柄は、「ベル（図柄９４）」である。
【００８９】
これにより、図１５に示したテーブルが各リール３Ｌ・３Ｃ・３Ｒの停止制御に使用された場合であって、はさみ押しが行われた場合には、例え遊技者が「ベル（図柄９４）」と異なる図柄を揃えようとしていたとしても、上述の図１１のテーブルにおける順押しの場合と同様に、クロスダウンライン８ａの位置に「ベル（図柄９４）」が停止表示された形態でベル（図柄９４）の小役の入賞が成立することになる。一方、順押しや第１中押し、第２中押し、逆押し、逆はさみ押しが行われた場合には、例え遊技者が「ベル（図柄９４）」を揃えようとしていたとしても、上述の図１１のテーブルにおける第１中押し、第２中押し、逆押し、はさみ押し、逆はさみ押しの場合と同様に、左の表示窓４Ｌの中段・中央の表示窓４Ｃの中段・右の表示窓４Ｒ内の下段の位置に「ベル（図柄９４）」が停止表示されることによって、ベル（図柄９４）の小役の入賞が不成立となる。この場合、他の小役やリプレイ役、ボーナス役に入賞することもない。
【００９０】
また、図１６のテーブルは、図６において『ベル』と『逆はさみ押し』との組合せが内部当選した場合に使用され、ベルの小役の入賞のみを成立させる停止テーブルである。
【００９１】
即ち、逆はさみ押しの場合における左のリール３Ｌの『停止制御位置』は、コードナンバー「０１」・「０３」・「０８」・「１０」・「１３」又は「１８」の何れかである。図２に示す図柄列において、これらのコードナンバーに対応する図柄の１つ上の図柄は、「ベル（図柄９４）」である。一方、順押し、第１中押し、第２中押し、逆押し及びはさみ押しの場合における左のリール３Ｌの『停止制御位置』は、コードナンバー「０２」・「０４」・「０９」・「１１」・「１４」又は「１９」の何れかである。図２に示す図柄列において、これらのコードナンバーに対応する図柄は、「ベル（図柄９４）」である。
【００９２】
また、中央のリール３Ｃの『停止制御位置』は、コードナンバー「０１」・「０６」・「１０」・「１４」又は「１８」の何れかである。図２に示す図柄列において、これらのコードナンバーに対応する図柄は、「ベル（図柄９４）」である。また、右のリール３Ｒの『停止制御位置』は、コードナンバー「０４」・「０９」・「１３」・「１７」又は「２０」の何れかである。図２に示す図柄列において、これらのコードナンバーに対応する図柄の１つ下の図柄は、「ベル（図柄９４）」である。
【００９３】
これにより、図１６に示したテーブルが各リール３Ｌ・３Ｃ・３Ｒの停止制御に使用された場合であって、逆はさみ押しが行われた場合には、例え遊技者が「ベル（図柄９４）」と異なる図柄を揃えようとしていたとしても、上述の図１１のテーブルにおける順押しの場合と同様に、クロスダウンライン８ａの位置に「ベル（図柄９４）」が停止表示された形態でベル（図柄９４）の小役の入賞が成立することになる。一方、順押しや第１中押し、第２中押し、逆押し、はさみ押しが行われた場合には、例え遊技者が「ベル（図柄９４）」を揃えようとしていたとしても、上述の図１１のテーブルにおける第１中押し、第２中押し、逆押し、はさみ押し、逆はさみ押しの場合と同様に、左の表示窓４Ｌの中段・中央の表示窓４Ｃの中段・右の表示窓４Ｒ内の下段の位置に「ベル（図柄９４）」が停止表示されることによって、ベル（図柄９４）の小役の入賞が不成立となる。この場合、他の小役やリプレイ役、ボーナス役に入賞することもない。
【００９４】
図１１〜図１６のような各テーブルは、図３の主制御回路７１におけるＲＯＭ３２に格納されている。
【００９５】
（主制御回路７１の動作:メインルーチン）
上記の構成において、図１８に示すメインフローチャートを参照して、主制御回路７１のＣＰＵ３１の制御動作について説明する。
【００９６】
先ず、電源が投入されると、遊技機１は、主制御回路７１において図１８のメインルーチンを実行することにより遊技を実施可能な状態になると共に、副制御回路７２において図示しないリセットルーチンを実行することにより液晶表示装置５の演出画像の表示等を実施したり、実施可能な状態になる。
【００９７】
具体的には、主制御回路７１によりメインルーチン等が実行されると、図１８に示すように、遊技開始時の初期化が行われた後（Ｓ１）、ゲーム終了時のＲＡＭ３３の所定の記憶内容が消去される（Ｓ２）。次に、メダル投入処理が実行され、ＢＥＴスイッチ１１Ｓ・１２Ｓ・１３Ｓ等からの入力があるまで待機状態となる（Ｓ３）。そして、ＢＥＴスイッチ１１Ｓ・１２Ｓ・１３Ｓ等からの入力があると、メダル投入信号が副制御回路７２に単位遊技の開始信号として送信される。続いて、スタートレバー６の操作によりスタートスイッチ６Ｓがオンされたか否かが判定される（Ｓ４）。スタートスイッチ６Ｓがオンされなければ（Ｓ４，ＮＯ）、Ｓ４が再実行され、スタートレバー６が操作されるまで待機状態とされる。スタートスイッチ６Ｓがオンされると（Ｓ４，ＹＥＳ）、リール回転処理に実行が移行される（Ｓ５）。そして、抽選用の乱数が抽出され（Ｓ６）、遊技状態監視処理が実行されることによって、今回のゲームにおける遊技状態が確認される（Ｓ７）。
【００９８】
今回のゲームの遊技状態が確認されると、次に、確率抽選処理が行われる（Ｓ８）。この確率抽選処理では、ＣＰＵ３１は、遊技状態に応じた確率抽選テーブルに基づいて、内部当選役と押し順との組合せを決定する処理を行なう。そして、選択された内部当選役と押し順との組合せの情報が副制御回路７２に出力される。
【００９９】
内部当選役と押し順との組合せを決定すると、続いて、遊技状態と、内部当選役と、押し順とに基づいた停止テーブル群選択処理が実行される（Ｓ９）。ここで、例えば一般遊技状態においてベルの小役と順押しとの組合せが内部当選している場合には、図１１に示すようなベル入賞成立可能停止テーブル群が選択される。
【０１００】
そして、リール回転停止処理が実行され、何れかの停止ボタン７Ｌ・７Ｃ・７Ｒが操作されたタイミングや自動停止タイマの値が「０」になったタイミングで滑りコマ数が決定された後、滑りコマ数分、リールが回転されてから停止される（Ｓ１０）。この後、入賞判定（入賞検索）により表示窓４Ｌ・４Ｃ・４Ｒの図柄の停止態様に基づいて入賞役（入賞が成立した役）が識別され（Ｓ１１）、入賞信号が単位遊技の終了信号として副制御回路７２に出力される。そして、遊技状態に応じてメダルのクレジット又は払出しが行われる（Ｓ１２）。ここで、例えば一般遊技状態においてベルの小役と順押しとの組合せが内部当選している場合に、遊技者が順押しを行えば、図１１のベル入賞成立可能停止テーブル群に基づいて図１７（ａ）に示すように、クロスダウンライン８ａの位置にベルの図柄が揃うので、ベルの小役の入賞が成立して、メダルが１０枚払い出されることとなる。尚、入賞役がＢＢ又はＲＢであると判定された場合には、ＢＢ一般遊技状態又はＲＢ遊技状態の発生が行われる。
【０１０１】
次に、現在の遊技状態がＢＢ一般遊技状態又はＲＢ遊技状態であるか否かが判定される（Ｓ１３）。遊技状態がＢＢ一般遊技状態又はＲＢ遊技状態でない場合には（Ｓ１３，ＮＯ）、Ｓ２が再実行される。一方、Ｓ１３において、遊技状態がＢＢ一般遊技状態又はＲＢ遊技状態である場合には（Ｓ１３，ＹＥＳ）、ボーナスの『遊技数チェック処理』が行われる（Ｓ１４）。この後、ボーナスの終了時であるか否かが判定され（Ｓ１５）、ボーナスの終了時でないと判定された場合には（Ｓ１５，ＮＯ）、Ｓ２が再実行される。一方、ボーナスの終了時であると判定された場合には（Ｓ１５，ＹＥＳ）、ボーナス終了信号が副制御回路７２に出力された後（Ｓ１６）、Ｓ２が再実行される。
【０１０２】
（主制御回路７１の動作:初期化ルーチン）
次に、図１８で示した遊技開始時の初期化の処理（Ｓ１）における初期化ルーチンについて図１９を参照しつつ説明する。
【０１０３】
はじめに、電源が投入される（Ａ１）。続いて、ＣＰＵ３１の全出力ポートが初期化される（Ａ２）。続いて、遊技機１のパワーダウンエラーであるか否かの判別が行われる（Ａ３）。パワーダウンエラーであると判別された場合には（Ａ３：ＹＥＳ）、Ａ２が再実行され、再度全出力ポートの初期化が行われる。
【０１０４】
一方、パワーダウンエラーでないと判別された場合には（Ａ３：ＮＯ）、ＣＰＵ３１の初期化が行われる（Ａ４）。次に、ＲＡＭ３３がエラーであるか否かが判別される（Ａ５）。ＲＡＭ３３がエラーであると判別された場合には（Ａ５：ＹＥＳ）、ＣＰＵ３１は、ＲＡＭエラーの表示を行なう信号を発し、例えばボーナス遊技情報表示部２０の７セグメントＬＥＤ等でその旨を表示させる。ここで、ＲＡＭエラーとは、ＲＡＭ３３が正常に書き込み読み出し処理が行えない状態をいう。
【０１０５】
一方、ＲＡＭ３３がエラーでないと判別された場合には（Ａ５：ＮＯ）、設定用鍵型スイッチ５３Ｓがオンであるか否かが判別される（Ａ６）。この処理は具体的には以下のとおりである。Ａ１の処理で、例えば従業員が設定用鍵型スイッチ５３Ｓをオンにした状態で電源スイッチをオンにする。すると、設定用鍵型スイッチ５３Ｓがオンであることを示す信号がＣＰＵ３１に送信される。ＣＰＵ３１は、設定用鍵型スイッチ５３Ｓがオンであることを示す信号を取得したか否かに基づいて、設定用鍵型スイッチ５３Ｓがオンであるか否かを判別する。
【０１０６】
設定用鍵型スイッチ５３Ｓがオンであると判別された場合には（Ａ６：ＹＥＳ）、設定値を示す信号がＣＰＵ３１に取得される（Ａ７）。具体的には、設定用鍵型スイッチ５３Ｓをオンした状態で電源スイッチをオンにすると、設定ボタン５２の操作が可能になり、例えば従業員が設定ボタン５２を操作して前述の２つの設定値（設定１、設定２）のうちのいずれか１つの設定値に設定する。この設定された設定値はＲＡＭ３３において保持され、この設定値に基づいて確率抽選テーブルが決定される。
【０１０７】
一方、設定用鍵型スイッチ５３Ｓがオフであると判別された場合（Ａ６：ＮＯ）、バッテリーバックアップが正常であるか否かが判別される（Ａ８）。バッテリーバックアップが正常であると判断された場合（Ａ８：ＹＥＳ）、ＲＡＭ３３の未使用領域に書き込まれている情報が消去された後、ＣＰＵ３１の全レジスタが電源遮断時における出力状態に復帰され（Ａ９）、メインルーチンに復帰される。
【０１０８】
一方、バッテリーバックアップが正常でないと判断された場合（Ａ８：ＮＯ）、各種の初期値がＣＰＵ３１にセットされる（Ａ１０）。続いて、ＲＡＭ３３の全領域に書き込まれている情報が消去される（Ａ１１）。ここで、Ａ１１以降の処理は、Ａ６において設定用鍵型スイッチ５３Ｓがオンであると判別され、設定値を示す信号が取得された場合にも行われる。
【０１０９】
続いて、設定値を含む各種の値がＣＰＵ３１に格納される（Ａ１２）。その際に、設定値情報を副制御回路７２に送信するようにしてもよい。その後、通信データの初期化が行われ（Ａ１３）、メインルーチンに復帰される。
【０１１０】
（主制御回路７１の動作:押し順報知処理ルーチン）
また、主制御回路７１においては、３個の停止ボタン７Ｌ・７Ｃ・７Ｒの押し順を所定確率で液晶表示装置５、スピーカ２１Ｌ・２１Ｒ、ＬＥＤランプ２９のいずれか或いはこれらの組合せを通じて報知させるための押し順報知処理ルーチンを、図１８に示した主制御回路７１のメインルーチンとは独立に実行している。
【０１１１】
図２０に示す押し順報知処理ルーチンが実行されると、まず、単位遊技が開始されたか否かが判定される（Ｂ１）。単位遊技が開始されなければ（Ｂ１，ＮＯ）、単位遊技が開始されるまで待機される。一方、単位遊技が開始されれば（Ｂ１，ＹＥＳ）、続いて、乱数発生器３６とサンプリング回路３７によって、押し順報知用の乱数が「０」〜「２５５」の乱数範囲から１つ抽出される（Ｂ２）。そして、この乱数が所定の乱数範囲内、例えば、全乱数範囲の１０％にあたる「０」〜「２５」の乱数範囲内であるか否かが判定される（Ｂ３）。
【０１１２】
抽出された乱数が所定の乱数範囲内でなければ（Ｂ３，ＮＯ）、押し順の報知を行うことなく本ルーチンが終了される。一方、抽出された乱数が所定の乱数範囲内であれば（Ｂ３，ＹＥＳ）、続いて、内部当選役が所定役であるか否かが判定される（Ｂ４）。ここで、所定役とは、ハズレを除いた入賞可能な役である。
【０１１３】
内部当選役が所定役でなければ（Ｂ４，ＮＯ）、押し順の報知を行うことなく本ルーチンが終了される。一方、内部当選役が所定役であれば（Ｂ４，ＹＥＳ）、この内部当選役を入賞成立させるように、副制御回路７２に押し順報知信号が出力され（Ｂ５）、その後、本ルーチンが終了される。
【０１１４】
（副制御回路７２の動作）
上記の主制御回路７１における各ルーチンにより各種の処理が実行されると、処理に応じた結果や内容がコマンドやデータとして副制御回路７２に入力される。副制御回路７２においては、図示しないリセットルーチン等をそれぞれ独立して実行している。そして、リセットルーチンの実行によりコマンドに基づいた演出画像を液晶表示装置５に表示する。例えば、メダル投入を示すコマンドが入力された場合には、スタートレバー６の操作を促す演出画像等が液晶表示装置５に表示される。
【０１１５】
また、副制御回路７２においては、主制御回路７１からの押し順報知信号に応じて、３個の停止ボタン７Ｌ・７Ｃ・７Ｒの押し順を、液晶表示装置５、スピーカ２１Ｌ・２１Ｒ、ＬＥＤランプ２９のいずれか或いはこれらの組合せを通じて報知する。押し順の報知は、例えば、液晶表示装置５に「順押しを行え！」の文字を表示させたり、スピーカ２１Ｌ・２１Ｒから押し順に関連する音楽を出力させたり、ＬＥＤランプ２９を押し順に関連させて点滅させたりすることで行われる。
【０１１６】
（本実施形態の概要）
以上のように、本実施の形態の遊技機は、複数の図柄を変動表示可能な複数の図柄表示手段（ステッピングモータ４９Ｌ・４９Ｃ・４９Ｒ、リール位置検出回路５０、リール３Ｌ・３Ｃ・３Ｒ等）と、複数の図柄表示手段に各々対応して設けられ、外部からの操作に応じて対応する図柄表示手段の変動表示を停止させる複数の停止操作手段（停止ボタン７Ｌ、７Ｃ、７Ｒ、リール停止信号回路４６等）と、遊技状態に基づいて内部当選役を抽選により決定する内部当選役決定手段（主制御回路７１、図１８のメインルーチン等）と、複数の停止操作手段で操作可能な複数種類の押し順の中から特定の押し順を抽選により決定する押し順決定手段（主制御回路７１、図１８のメインルーチン等）と、複数の停止操作手段が特定の押し順に対応する順序で操作された場合に、内部当選役に基づいた所定の停止態様で複数の図柄表示手段を停止させる停止制御手段（主制御回路７１、図１８のメインルーチン等）と、所定の停止態様に基づいて遊技価値を付与する遊技価値付与手段（主制御回路７１、図１８のメインルーチン、ホッパー４０、ホッパー駆動回路４１、メダル検出部４０ｓ等）と、押し順決定手段が特定の押し順を決定する抽選確率を複数段階に変更可能な設定手段（設定用鍵型スイッチ５３Ｓ、設定ボタン５２等）と、を有する構成にされている。
【０１１７】
上記の構成によれば、押し順決定手段が特定の押し順を決定する抽選確率を設定手段により複数段階に変更可能にすることによって、遊技者にその設定状況を推測させるといった新たな興趣性を提供することができる。例えば、ある設定では、ある特定の押し順が決定される確率が高まるとした場合に、設定手段によるこの設定への変更と同時に、内部抽選による内部当選役の当選の期待値を連係して変更できるようにすれば、遊技者はその遊技機の内部抽選役の抽選内容を推測するといった面白さを享受することが可能となる。
【０１１８】
また、本実施の形態の遊技機においては、設定手段は、押し順決定手段が特定の押し順を決定する抽選確率を２段階に変更可能である構成にされている。上記の構成によれば、２段階設定にすることで、遊技者の推測が遊技機の設定状況に一致する確率が上がるため、その設定状況を推測する遊技者の興趣を更に向上させることができる場合がある。加えて、２段階設定にすることで、遊技者が設定を知ろうとする意欲をより高めることができる場合がある。
【０１１９】
また、本実施の形態の遊技機においては、特定の押し順を所定確率で報知する報知手段（副制御回路７２、液晶表示装置５、スピーカ２１Ｌ・２１Ｒ、ＬＥＤランプ２９等）をさらに有した構成にされている。上記の構成によれば、報知手段を通じて遊技者が遊技中に特定の押し順を知ることができる場合があり、遊技者はこの特定の押し順を知るために遊技を繰り返して行なうようになるから、遊技者の興趣の向上を図ることができる場合がある。
【０１２０】
なお、本実施の形態では、内部当選役と押し順との組合せを抽選することで、内部当選役と押し順とを一度に決定する構成としたが、内部当選役を決定する抽選と押し順を決定する抽選とが別々であってもよい。具体的には、図１８に示すメインルーチンの確率抽選処理（Ｓ８）において、押し順とは無関係の確率抽選テーブルを用いて内部当選役の抽選を行ない、これと並行して、図２１に示すような押し順抽選テーブルを用いて押し順の抽選を行い、別々に抽選された内部当選役と押し順の両者を用いて、図１８に示すメインルーチンの停止テーブル群選択処理（Ｓ９）から実行するようにしてもよい。この場合において、図２１（ａ）の押し順抽選テーブルは設定１に、図２１（ｂ）の押し順抽選テーブルは設定２に夫々対応しており、設定間で『順押し』に内部当選する確率と、『逆押し』に内部当選する確率とを５％以下の微差で異ならせることにより、遊技者に設定を推測させる興趣を与えている。なお、この場合は、内部当選役となり得る全ての役（ハズレを含む）に対して、これに組み合わされる押し順が抽選されることになる。
【０１２１】
また、本実施の形態では、一般遊技状態において内部当選役が『ベル』の場合に、『ベル』と『順押し』との組合せが内部当選する確率と、『ベル』と『逆押し』との組合せが内部当選する確率とを設定間で異ならせる構成としたが、この構成に限定されるものではなく、一般遊技状態以外の遊技状態に適用してもよく、『ベル』以外の役、或いは全ての役に適用してもよい。また、『順押し』、『逆押し』以外の押し順を適用してもよい。この場合において、遊技者が設定を推測する興趣を高める観点から、設定間での確率の差が微差であって、遊技者が推測し難い組合せ（遊技状態と内部当選役と押し順との組合せ）を採用することがより好ましい。
【０１２２】
（本実施形態の変形例）
以上、本実施の形態について説明したが、本発明はこれに限定されるものではなく、遊技機は、以下の構成を上述の実施の形態における構成に加えて、或いは重複して備えていても良い。
【０１２３】
即ち、遊技機は、所定の遊技結果が表示された場合に遊技者に遊技価値を付与する遊技価値付与手段と、遊技開始指令信号に基づいて所定の役を当選役として決定する当選役決定手段と、当選役に基づいて入賞表示手段に入賞態様を表示させる入賞表示制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に特定役蓄積手段が蓄積して記憶している特定の役を当選役とする蓄積特定役当選手段とを少なくとも１つ以上備えていても良い。
【０１２４】
ここで、上記の『遊技結果表示手段』は、まとめると入賞表示手段、演出表示手段、告知表示手段等を含んで構成されている。それらが、別体の表示装置であっても良いし、単一の表示装置に設けられた所定の表示部（スプライト、深度の異なる３Ｄオブジェクト）でも良い。また、重なって表示されても良い。さらには、１又は複数の音、１又は複数の光、１又は複数の色、１又は複数の画像、１又は複数の臭い等、１又は複数の感触（振動、圧力）のうちの何れか、複数又は全部により遊技者に報知を行なうようになっていても良い。
【０１２５】
『遊技価値付与手段』は、遊技価値（コイン）を付与（払出）するプログラム等、有利状態発生手段を含み、賞媒体の払出、磁気カードへの記録、ゲームの得点加算も含む。
【０１２６】
『表示制御手段』は、まとめると入賞表示制御手段、演出表示制御手段、告知表示制御手段等を含んで構成されている。単一の基板に設けられていても、別体の複数の基板に設けられても良いし、入賞表示制御手段は当選役決定手段と同一の基板に設けられても良い。（別体でも良い。）さらには、演出表示制御手段及び告知表示制御手段は、当選役決定手段と別体の基板に設けられても良い。（別体でも良い。）
【０１２７】
『入賞表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でも良い。
【０１２８】
『表示停止指令手段』は、演出表示手段、入賞表示手段、告知表示手段等のうちの１つ、複数、全ての可変表示を停止させる信号を出力しても良いし、１つ又は複数の表示部に対応して１つ設けられていても良い（表示部は、図柄表示部等）。或いは、１つの表示部に対応して複数設けられていても良い（表示部は、図柄表示部等）。
【０１２９】
『有利状態発生手段』は、複数の遊技単位の間、継続して遊技者に有利な状態が続けば何でも良い。例えば発生判定、継続判定、途中終了判定、発生、継続、終了等を行なうプログラム等である。また、『当選役決定手段』は、当選役抽選手段、当選役持越手段、特定役蓄積手段、蓄積特定役当選手段等から構成されている。
【０１３０】
尚、本実施形態において、『遊技機』は、パチスロ機、スロットマシン、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄うちに特定の図柄が含まれている（上チリ、デカチリ等）等を含む。
【０１３１】
『外れ態様』は、入賞表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１３２】
『予告態様』は、所定の当選役または特定の当選役が決定されている可能性があることを遊技者に対して予告する態様や外れを予告する態様、また、その演出態様を含む。『外れ？』、『ベル？』、『大当り当選？』、『ボーナス当選？』、『遊技手順ナビゲート機能当選？』等の文字も含む。『告知態様』は、所定の当選役または特定の当選役が決定されていることを遊技者に対して告知する態様や、所定の当選役または特定の当選役が決定されていないことを遊技者に対して告知する態様を含む。また、その演出態様。『大当り確定』、『ボーナス確定』、『外れ確定』、『ベル確定』、『遊技手順ナビゲート機能当選？』等の文字も含む。
【０１３３】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【０１３４】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグ、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等。それらが複数、それらの組合せ等を含む。
【０１３５】
『当選役』は、複数の役から当選役決定手段により当選役として決定された１または複数の役を含む。『入賞役』は、当選役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【０１３６】
また、パチスロ等における役は、次のうちの１または複数を適用しても良い。外れ、所定枚数の賞媒体を払出す小役、当選役決定手段が小役を当選役と決定する確率を１単位遊技（１ゲーム）の間だけ高確率とするシングルボーナス、当選役決定手段が小役を当選役と決定する確率を複数単位遊技の間だけ高確率とするレギュラーボーナス、当選役決定手段がレギュラーボーナスを当選役と決定する確率を複数単位遊技の間だけ高確率とするビッグボーナス、当選役決定手段が決定した当選役に関する情報を遊技者による表示停止指令手段の操作より以前に報知する当選役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【０１３７】
例えば、上述の当選役ナビゲート機能、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等にしたがって、左、中、右リール停止ボタンを停止操作することで入賞表示手段に所定の入賞態様が得られるリール停止ナビゲート機能等。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に入賞表示手段に所定の入賞態様が得られるものも含む。遊技者による表示停止指令手段からの停止指令信号の出力から最小移動（又は略最小変動）で図柄を停止させる機能。遊技媒体の投入無しで１単位遊技の遊技を開始できるリプレイ。
【０１３８】
また、１回の単位遊技は、例えば次のようなもののうち何れかを適用しても良い。遊技開始指令手段からの遊技開始指令信号の出力から遊技結果の表示まで。スタートレバーの操作から入賞表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から入賞表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから入賞表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用しても良い。
【０１３９】
さらに、本発明は、上述のパチスロ機やパチンコ遊技機等の実機の他、これらのパチスロ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０１４０】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１４１】
【図１】第１・第２の実施の形態のパチスロ機の斜視図。
【図２】リールの状態を示す説明図。
【図３】主制御回路のブロック図。
【図４】副制御回路のブロック図。
【図５】払い出し枚数を示す図。
【図６（ａ）】一般遊技状態用確率抽選テーブル。
【図６（ｂ）】一般遊技状態用確率抽選テーブル。
【図７】ＢＢ一般遊技状態用確率抽選テーブル。
【図８】ＲＢ遊技状態用確率抽選テーブル。
【図９】遊技状態と内部当選役と選択される停止テーブル群との関係図。
【図１０】遊技状態と内部当選役と選択される停止テーブル群との関係図。
【図１１】停止テーブル群を示す図。
【図１２】停止テーブル群を示す図。
【図１３】停止テーブル群を示す図。
【図１４】停止テーブル群を示す図。
【図１５】停止テーブル群を示す図。
【図１６】停止テーブル群を示す図。
【図１７】リールの停止状態を示す説明図。
【図１８】メインルーチンのフローチャート。
【図１９】初期化ルーチンのフローチャート。
【図２０】押し順報知処理ルーチンのフローチャート。
【図２１】押し順抽選テーブル。
【符号の説明】
【０１４２】
１  遊技機
３Ｌ、３Ｃ、３Ｒ  リール
６  スタートレバー
６Ｓ  スタートスイッチ
７Ｌ、７Ｃ、７Ｒ  停止ボタン
４０  ホッパー
４０ｓ  メダル検出部
４１  ホッパー駆動回路
４６  リール停止信号回路
４９Ｌ、４９Ｃ、４９Ｒ  ステッピングモータ
５０  リール位置検出回路
５２  設定ボタン
５３Ｓ  設定用鍵型スイッチ
７１  主制御回路
【図１】
2006296842.tif 000003
【図２】
2006296842.tif 000004
【図３】
2006296842.tif 000005
【図４】
2006296842.tif 000006
【図５】
2006296842.tif 000007
【図６（ａ）】
2006296842.tif 000008
【図６（ｂ）】
2006296842.tif 000009
【図７】
2006296842.tif 000010
【図８】
2006296842.tif 000011
【図９】
2006296842.tif 000012
【図１０】
2006296842.tif 000013
【図１１】
2006296842.tif 000014
【図１２】
2006296842.tif 000015
【図１３】
2006296842.tif 000016
【図１４】
2006296842.tif 000017
【図１５】
2006296842.tif 000018
【図１６】
2006296842.tif 000019
【図１７】
2006296842.tif 000020
【図１８】
2006296842.tif 000021
【図１９】
2006296842.tif 000022
【図２０】
2006296842.tif 000023
【図２１】
2006296842.tif 000024